(57)【特許請求の範囲】
【請求項１】
洗浄液を噴霧することで浴室洗浄を実行する浴室洗浄装置本体と、前記浴室洗浄装置本体の運転を制御する制御部と、前記浴室洗浄の実行を指示する洗浄指示部とを備え、前記制御部は、前回の浴室洗浄を実行してからの経過時間が長くなるほどに、前記浴室洗浄を実行するときの洗浄時間の目標値を高く設定することを特徴とする浴室洗浄装置。
【請求項２】
次亜塩素酸を含む洗浄液を噴霧することで浴室洗浄を実行する浴室洗浄装置本体と、前記浴室洗浄装置本体の運転を制御する制御部と、前記浴室洗浄の実行を指示する洗浄指示部とを備え、前記制御部は、前回の浴室洗浄を実行してからの経過時間が長くなるほどに、前記洗浄液が含む次亜塩素酸の濃度の目標値を高く設定することを特徴とする浴室洗浄装置。
【請求項３】
洗浄強度を使用者が選択することのできる洗浄選択モードを備え、前記制御部は、前記洗浄選択モードにおいては、前記経過時間に関わらず使用者の選択結果に基づいて前記目標値を設定することを特徴とする請求項１又は２に記載の浴室洗浄装置。
【請求項４】
洗浄強度を使用者が選択することのできる洗浄選択モードを備え、前記制御部は、前記洗浄選択モード以外の場合においては、前回の浴室洗浄を実行してからの経過時間が長くなるほどに、前記洗浄液が含む次亜塩素酸の濃度の目標値を高く設定し、前記洗浄選択モードにおいては、前記経過時間に関わらず使用者の選択結果に基づいて、前記浴室洗浄を実行するときの洗浄時間の目標値を設定することを特徴とする請求項２に記載の浴室洗浄装置。
【発明の詳細な説明】
【技術分野】
【０００１】
本発明は、洗浄液を噴霧することで浴室洗浄を行う浴室洗浄装置に関する。
【背景技術】
【０００２】
浴室洗浄を目的として、浴室の天井等から洗浄液を噴霧させることのできる浴室洗浄装置が、以前から知られている。例えば特許文献１に記載の浴室洗浄装置では、浴室内を清潔な状態に保つため、浴室の使用時間の積算値が一定以上になった段階で、使用者に浴室洗浄を催促するか、或いは自動的に浴室洗浄を行うようになっている。
【先行技術文献】
【特許文献】
【０００３】
【特許文献１】特開２００８−６４３３６号公報
【発明の概要】
【発明が解決しようとする課題】
【０００４】
特許文献１に記載の浴室洗浄装置は、一定の浴室洗浄を、一定の周期にしたがって実行さることを目的としている。そのため、例えば催促されたタイミングを過ぎた時点で使用者が一定の浴室洗浄を行った場合には、浴室洗浄の効果が不十分になることがある。また、使用時間の積算値が一定以上になった段階で自動的に浴室洗浄を行うとした場合には、使用者の意図するタイミングでの浴室洗浄ができないということにもなる。
【０００５】
本発明は前記問題点に鑑みて発明したものであって、使用者が自らの意図するタイミングで浴室洗浄を行うことができ、しかも必要十分な程度での浴室洗浄が可能となる浴室洗浄装置を提供することを、課題とする。
【課題を解決するための手段】
【０００６】
前記課題を解決するために本発明の浴室洗浄装置を、下記構成を具備したものとする。
【０００７】
本発明の浴室洗浄装置は、洗浄液を噴霧することで浴室洗浄を実行する浴室洗浄装置本体と、前記浴室洗浄装置本体の運転を制御する制御部と、前記浴室洗浄の実行を指示する洗浄指示部とを備え、前記制御部は、前回の浴室洗浄を実行してからの経過時間が長くなるほどに、前記浴室洗浄を実行するときの洗浄時間の目標値を高く設定することを特徴としている。
【０００８】
また、本発明の浴室洗浄装置は、次亜塩素酸を含む洗浄液を噴霧することで浴室洗浄を実行する浴室洗浄装置本体と、前記浴室洗浄装置本体の運転を制御する制御部と、前記浴室洗浄の実行を指示する洗浄指示部とを備え、前記制御部は、前回の浴室洗浄を実行してからの経過時間が長くなるほどに、前記洗浄液が含む次亜塩素酸の濃度の目標値を高く設定することを特徴としている。
【０００９】
前記した本発明の浴室洗浄装置は、さらに下記構成を具備することが好ましい。
【００１０】
つまり、本発明の浴室洗浄装置では、洗浄強度を使用者が選択することのできる洗浄選択モードを備え、前記制御部は、前記洗浄選択モードにおいては、前記経過時間に関わらず使用者の選択結果に基づいて前記目標値を設定することが好ましい。
【００１１】
また、本発明の浴室洗浄装置では、洗浄強度を使用者が選択することのできる洗浄選択モードを備え、前記制御部は、前記洗浄選択モード以外の場合においては、前回の浴室洗浄を実行してからの経過時間が長くなるほどに、前記洗浄液が含む次亜塩素酸の濃度の目標値を高く設定し、前記洗浄選択モードにおいては、前記経過時間に関わらず使用者の選択結果に基づいて、前記浴室洗浄を実行するときの洗浄時間の目標値を設定することも好ましい。
【発明の効果】
【００１２】
本発明は、使用者が自らの意図するタイミングで浴室洗浄を行うことができ、しかも必要十分な程度での浴室洗浄が可能になるという効果を奏する。
【図面の簡単な説明】
【００１３】
【図１】本発明の実施形態１の浴室洗浄装置の配管図である。
【図２】同上の浴室洗浄装置の概略構成図である。
【図３】同上の浴室洗浄装置を浴室の天井部に設置した場合の斜視図である
【図４】同上の浴室洗浄装置を制御する制御部の説明図である。
【図５】同上の浴室洗浄装置の制御フロー図である。
【図６】本発明の実施形態２の浴室洗浄装置の制御フロー図である。
【図７】本発明の実施形態３の浴室洗浄装置の制御フロー図である。
【図８】本発明の実施形態４の浴室洗浄装置の制御フロー図である。
【発明を実施するための形態】
【００１４】
本発明を、添付図面に示す実施形態１〜４に基づいて説明する。
（実施形態１）
図１〜図４に基づいて、本発明の実施形態１の浴室洗浄装置について述べる。図１は、実施形態１の浴室洗浄装置の配管例である。図２は浴室洗浄装置の構成図であり、図３は浴室洗浄装置の設置例の説明図である。図４には、浴室洗浄装置を制御する制御部３９を示している。
【００１５】
本形態の浴室洗浄装置は、浴室洗浄装置本体１と、これを制御する制御部３９（図４参照）とを備えたものである。この浴室洗浄装置本体１は、次亜塩素酸を含む電解水による浴室洗浄機能に加えて、ミストサウナとしての機能と、浴室暖房換気装置としての機能とを備えた複合的な装置であり、浴室１３の天井部に設置される。浴室１３外には、リモコン操作を可能とする操作入力部１５が設定されている（図３参照）。この操作入力部１５には、「浴室洗浄スイッチ」、「ミストサウナ運転スイッチ」、「暖房運転スイッチ」、「換気運転スイッチ」、「乾燥運転スイッチ」、「涼風運転スイッチ」等のスイッチ類（図示せず）が設けられている。
【００１６】
浴室洗浄装置本体１は、図１に示すように、通電により次亜塩素酸を含む電解水を生成する電解水生成装置６と、浴室１３内に温風を供給する暖房機２と、浴室洗浄用ノズル４とミストサウナ用ノズル１０とを備えるミスト噴霧装置３と、浴室１３内の空気を吸い込んで屋外に排出する換気ファン４２と、これらを制御する制御部３９とで、主体が構成される。
【００１７】
制御部３９はマイクロコンピュータから成り、図４に示すように、操作入力部１５から指令されるリモコン信号に加えて、浴室温度センサー９、温水往き温度センサー１７、ミスト温度センサー１８、温水戻り温度センサー２１からの各検知信号を受信し、これら各検知結果に基づいて暖房機２、ミスト噴霧装置３の電磁弁２２，２３、電解水生成装置６、換気ファン４２等を駆動制御する。
【００１８】
図２に示すように、換気用ダクト４１内には換気ファン４２が設けられる。この換気ファン４２と、換気用ダクト４１の換気出口との間には、逆風圧などによる屋外からの空気の逆流を防止する逆流防止シャッター２４を備えている。逆流防止シャッター２４は、換気時には換気による風圧で支点を中心に揺動することで開放され、換気停止時には自重で換気用ダクト４１を閉塞し、外気の浴室１３内への侵入を防止する。換気時にファンモータ３５を作動させると、浴室１３内の空気は、換気ファン４２により換気用ダクト４１及びベントキャップ４０を経て屋外空間に放出される。
【００１９】
浴室洗浄装置本体１の機器ケーシング２５内には、図１に示すように、循環ファン５と、循環ファン５により通風される空気を熱源機１４（図３参照）から供給される温水によって加熱する暖房用熱交換器７と、暖房用熱交換器７への温水の供給量を調節する熱動弁８とが、それぞれ収納されている。
【００２０】
暖房用熱交換器７は、熱源機１４からの温水が循環する暖房用温水管路１６の途中に配置されており、熱動弁８を開放すると、循環ファン５からの風が暖房用熱交換器７により加熱され、下方の温風吹き出し口３１に設けた可動ルーバー３０（図２参照）から浴室１３内に供給される。さらに暖房用温水管路１６の途中には、ミスト加熱用温水管路１９が分岐接続されている。ミスト加熱用温水管路１９は、機器ケーシング２５上のミストボックス３２に収納された液々熱交換器から成るミスト用熱交換器１１を加熱するものである。ミスト加熱用温水管路１９の上流端は、暖房用温水管路１６の熱動弁８よりも上流位置に分岐接続されており、ミスト加熱用温水管路１９の下流端は、暖房用温水管路１６の暖房用熱交換器７よりも下流位置に合流している。
【００２１】
さらに前記ミストボックス３２から機器ケーシング２５に亘って、浴室洗浄兼ミスト用給水管路２０が配管されており、この管路途中にミスト用熱交換器１１が配置されている。浴室洗浄兼ミスト用給水管路２０のミスト用熱交換器１１よりも上流側には、後述する電解水生成装置６を介して、外部の水道管が接続されている。
【００２２】
浴室洗浄兼ミスト用給水管路２０のミスト用熱交換器１１よりも下流側の部分は、ミストサウナ用電磁弁２２及び浴室洗浄用電磁弁２３の２方向に分岐しており、ミストサウナ用電磁弁２２の下流側にはミストサウナ用ノズル１０が接続され、浴室洗浄用電磁弁２３の下流側には浴室洗浄用ノズル４が接続されている。これら浴室洗浄用ノズル４及びミストサウナ用ノズル１０は、それぞれ、機器ケーシング２５下面の開口孔から浴室１３内に臨んで配置されている。本形態では、ミストサウナ用電磁弁２２が開弁した時には、５０〜１００μｍ程度の粒子径で水滴が噴霧され、ミストサウナを楽しむことができる。また、浴室洗浄用電磁弁２３が開弁した時には、浴室洗浄用ノズル４から１００〜３００μｍ程度の粒子径で水滴が噴霧され、浴室洗浄に供される。
【００２３】
また、前記暖房用温水管路１６から分岐されたミスト加熱用温水管路１９の途中には、水比例弁１２と、温水戻り温度センサー２１とが設置されている。水比例弁１２は、ミスト加熱用温水管路１９からミスト用熱交換器１１に供給される水温が適切になったときに、ミスト用熱交換器１１に供給される温水の流量の調節を行うものである。温水戻り温度センサー２１は、ミスト用熱交換器１１からの循環温水の戻り温度を検知するものである。水比例弁１２を全閉にすることにより、ミスト用熱交換器１１に供給される温水を遮断することができる。さらに、ミスト用熱交換器１１から吐出する水の温度を検知するためのミスト温度センサー１８が設置されている。
【００２４】
前記電解水生成装置６は、被電解水に浸漬した電極間に電流を流して次亜塩素酸を含む電解水を生成する電解槽を備えたものである。この電解槽への直流電流の通電により、正極では、供給される水道水中に含まれる塩素イオン（２Ｃｌ−）が酸化反応により電子（２ｅ−）を奪われて塩素（Ｃｌ２）が発生するとともに、液中では、発生した塩素（Ｃｌ２）が水（Ｈ２Ｏ）と反応して殺菌作用を有する次亜塩素酸（ＨＯＣｌ）が生成される。負極では、還元反応により水素イオン（２Ｈ＋）と電子（２ｅ−）とが結合して水素ガス（Ｈ２）が発生する。
【００２５】
次に、ミストサウナ運転開始動作の一例を説明する。操作入力部１５の「ミストサウナ運転スイッチ」を押すと、ミストサウナ運転開始を指令する信号が制御部３９（図４参照）に送られる。制御部３９は、温水供給用の熱源機１４（図３参照）に対して運転信号を出力し、熱源機１４に暖房運転を開始させる。次いで、温風側の熱動弁８、ミスト側の水比例弁１２がそれぞれ開弁し、８０℃の循環温水が暖房用温水管路１６内及びミスト加熱用温水管路１９内を循環し始める。温水往き温度が６０℃以上になると、循環ファン５がオンとなり、浴室１３に温風を送る。その後、浴室温度が２５℃以上になるとミストサウナ用電磁弁２２を開いて、ミストサウナ用ノズル１０を通じて湯水のミスト噴霧を開始する。
【００２６】
本形態では、サウナ用ミストの水滴の粒子径が５０〜１００μｍ程度となり、１００μｍ以下のものが大半を占めるように、ミストサウナ用ノズル１０のノズル孔径と噴霧流量を設定している。具体的には、ミストサウナ用ノズル１０のノズルの孔径を０．７ｍｍ程度、噴霧流量を０．２５〜０．５リットル／分に設定している。これにより、サウナ用ミストの水滴が浴室空間を浮遊しやすくしている。
【００２７】
次に、浴室洗浄運転動作の一例を説明する。以下においては、洗浄に用いる温水又は電解水を「洗浄液」という。
【００２８】
まず、温水による浴室洗浄について説明する。操作入力部１５に配した洗浄指示部である「浴室洗浄スイッチ」を押すと、浴室洗浄運転開始を指令する信号が制御部３９に送られる。制御部３９は、温水供給用の熱源機１４（図３参照）に運転信号を出力し、熱源機１４に暖房運転を開始させる。次いで、ミスト側の水比例弁１２が開弁し、８０℃の循環温水がミスト加熱用温水管路１９内を循環し始め、ミスト用熱交換器１１に温水が供給される。その後、浴室洗浄用電磁弁２３を開弁して、浴室洗浄用ノズル４から温水（洗浄液）のミスト噴霧を開始する。このように温水を噴霧することで、石鹸カスや皮脂等を効果的に洗い流すことができる。
【００２９】
なお、温水による洗浄では、温度が上昇してカビや雑菌等の微生物が繁殖しやすい状態にある。そこで、洗浄した後に浴室壁等の被洗浄物の温度を低下させるため、ミスト側の水比例弁１２を全閉とし、熱源機１４からの循環温水のミスト加熱用温水管路１９への流入を停止させる。これにより、ミスト用熱交換器１１の加熱を停止させ、浴室洗浄用ノズル４から噴霧される洗浄液の温度を、供給される水温（常温）程度にまで低下させることができる。
【００３０】
さらに高い洗浄効果を得るためには、制御部３９からの指令により、浴室洗浄運転中に電解水生成装置６への通電を行って次亜塩素酸を発生させ、浴室洗浄用ノズル４を通じて、次亜塩素酸が含まれた電解水から成る洗浄液を噴霧させる。これにより、次亜塩素酸の殺菌効果により、温水の場合と比較して、被洗浄物の殺菌をより効果的に行うことができる。洗浄液として温水を噴霧させるか、次亜塩素酸を含む電解水を噴霧させるかは、電解水生成装置６への通電のオンオフによって切替自在である。
【００３１】
前記浴室洗浄用ノズル４のノズル孔径と噴霧流量は、噴霧される洗浄液（つまり、温水又は次亜塩素酸を含む電解水）の水滴が、空中に浮遊しにくい程度の１００〜３００μｍ程度の粒子径となり、粒子径の平均値が１５０μｍ程度となるように設定している。
【００３２】
以下においては、図５のフローチャートを参照しながら、浴室洗浄時のさらに詳細な制御について述べる。
【００３３】
操作入力部１５には、浴室洗浄用のスイッチ類（図示せず）として、洗浄開始を指令する洗浄指示部となる「浴室洗浄スイッチ」に加えて、「おまかせ洗浄ＯＮ／ＯＦＦスイッチ」、「洗浄時間選択スイッチ」が配置されている。「おまかせ洗浄ＯＮ／ＯＦＦスイッチ」は、おまかせ洗浄モードのオンオフを切り替えるためのスイッチである。ここでのおまかせ洗浄モードは、今回実行する浴室洗浄での洗浄時間の目標値Ｔを、前回の浴室洗浄を実行してからの経過時間ΔＴに応じて自動的に設定するモードである。本形態では、経過時間ΔＴの起算点を、前回の浴室洗浄を完了した時点としているが、前回の浴室洗浄を開始した時点等の、他の時点としてもよい。
【００３４】
おまかせ洗浄モードをオフにした場合には、使用者のスイッチ操作により洗浄時間の目標値Ｔを選択することが可能な洗浄選択モードとなる。本形態では、「洗浄時間選択スイッチ」が、使用者が洗浄強度を選択するための選択入力部となっており、この「洗浄時間選択スイッチ」を特に操作しないときには、目標値Ｔ＝標準目標値ＭＴ（本形態では３０分）とし、「洗浄時間選択スイッチ」を１回押すたびに目標値Ｔを、高めの目標値ＨＴ（本形態では４５分）、さらに高めの目標値ＨＴ´（本形態では６０分）、低めの目標値ＬＴ（本形態では１５分）等に順次切り替え、これにより洗浄強度を選択する。なお、「洗浄時間選択スイッチ」を、１分単位、１時間単位等の組み合わせで時間設定可能なものにしてもよい。
【００３５】
制御部３９は、現在実行している浴室洗浄の洗浄時間が前記目標値Ｔに到達するまで、浴室洗浄を実行させるとともに、浴室洗浄の実行中においては残りの洗浄時間を操作入力部１５の時間表示部（図示せず）にデジタル表示させる。
【００３６】
一方、おまかせ洗浄モードをオンにした場合には、使用者のスイッチ操作によらず、洗浄時間の目標値Ｔが自動的に設定される。具体的には、前回の浴室洗浄を実行してからの経過時間ΔＴが長くなるほど、制御部３９は、浴室洗浄を実行するときの洗浄時間の目標値Ｔを段階的に高く設定していく。
【００３７】
図５に示すように、経過時間ΔＴが３０時間以下の範囲内では、制御部３９は、洗浄時間の目標値Ｔ＝標準目標値ＭＴ（本形態では３０分）に設定する。つまり、前回の浴室洗浄を実行してから３０時間以内に「浴室洗浄スイッチ」を押して浴室洗浄を実行する場合には、３０分間の浴室洗浄を行う。
【００３８】
経過時間ΔＴが３０時間を超え、且つ５４時間以下となる範囲内では、制御部３９は、洗浄時間の目標値Ｔ＝標準目標値ＭＴ（本形態では３０分）＋追加時間α（本形態では１５分）に設定する。つまり、前回の浴室洗浄から３０時間を超えて５４時間に至るまでの間に浴室洗浄を実行する場合には、合計４５分間の浴室洗浄を行う。
【００３９】
経過時間ΔＴが５４時間を超え、且つ７８時間以下となる範囲内では、制御部３９は、洗浄時間の目標値Ｔ＝標準目標値ＭＴ（本形態では３０分）＋２×追加時間α（本形態では２×１５分）に設定する。つまり、前回の浴室洗浄から５４時間を超えて７８時間に至るまでの間に浴室洗浄を実行する場合には、合計６０分間の浴室洗浄を行う。
【００４０】
経過時間ΔＴが７８時間を超えたときには、制御部３９は、洗浄時間が目標値Ｔ＝標準目標値ＭＴ（本形態では３０分）＋２×追加時間α（本形態では２×１５分）に設定するとともに、操作入力部１５に設置した浴室洗浄ＬＥＤ（図示せず）を点滅させる。浴室洗浄ＬＥＤの点滅は、使用者に対して浴室洗浄を促すための手段であるが、これ以外の適宜手段で浴室洗浄を促してもよい。
【００４１】
つまり、前回の浴室洗浄から７８時間を越えた段階で浴室洗浄を実行する場合には、合計６０分間の浴室洗浄を行うとともに、ＬＥＤを点滅させて速やかな浴室洗浄の実行を使用者に催促する。換言すれば、浴室洗浄時間の上限を６０分とし、その代わりに７８時間を越えたときには洗浄の催促を行うように設定している。なお、浴室洗浄時間に上限を設けたうえで、前記の洗浄催促は行わない設定であってもよい。
【００４２】
本形態では、洗浄時間がいずれに設定された場合であっても、洗浄液中の次亜塩素酸の濃度が２ｍｇ／リットルとなるように電解水生成部６への通電制御を行う。
（実施形態２）
次に、本発明の実施形態２の浴室洗浄装置について述べる。なお、本形態の構成のうち上述した実施形態１と同様の構成については詳しい説明を省略し、実施形態１とは相違する特徴的な構成についてのみ以下に詳述する。
【００４３】
本形態の操作入力部１５には、浴室洗浄用のスイッチ類（図示せず）として、「浴室洗浄スイッチ」に加えて、「おまかせ洗浄ＯＮ／ＯＦＦスイッチ」、「洗浄濃度選択スイッチ」が配置されている。
【００４４】
図６のフローチャートに示すように、「おまかせ洗浄ＯＮ／ＯＦＦスイッチ」を操作しておまかせ洗浄モードをオフにした場合には、使用者が「洗浄濃度選択スイッチ」を操作して次亜塩素酸の濃度の目標値Ｃを選択することが可能な洗浄選択モードとなる。本形態では、この「洗浄濃度選択スイッチ」が、使用者が洗浄強度を選択するための選択入力部となっており、「洗浄濃度選択スイッチ」を特に操作しないときには、目標値Ｃ＝標準目標値ＭＣ（本形態では２ｍｇ／リットル）とし、「洗浄濃度選択スイッチ」を１回押すたびに目標値Ｃを、高めの目標値ＨＣ（本形態では４ｍｇ／リットル）、さらに高めの目標値ＨＣ´（本形態では６ｍｇ／リットル）、低めの目標値ＬＣ（本形態では１ｍｇ／リットル）等に順次切り替え、これにより洗浄強度を選択する。
【００４５】
一方、おまかせ洗浄モードをオンにした場合には、使用者のスイッチ操作によらず、洗浄液が含む次亜塩素酸の濃度の目標値Ｃが自動的に設定される。具体的には、前回の浴室洗浄を実行してからの経過時間ΔＴが長くなるほど、電解水生成装置６で生成される次亜塩素酸の濃度の目標値Ｃを、段階的に高く設定していく。
【００４６】
図６に示すように、経過時間ΔＴが３０時間以下の範囲内では、制御部３９は、次亜塩素酸の濃度の目標値Ｃ＝標準目標値ＣＴ（本形態では２ｍｇ／リットル）に設定する。つまり、前回の浴室洗浄を実行してから３０時間以内に「浴室洗浄スイッチ」を押して浴室洗浄を実行する場合には、次亜塩素酸を２ｍｇ／リットルの濃度で含む洗浄液によって３０分間の浴室洗浄を行う。
【００４７】
前回の浴室洗浄からの経過時間ΔＴが３０時間を超え、且つ５４時間以下となる範囲内では、制御部３９は、次亜塩素酸の濃度の目標値Ｃ＝標準目標値ＣＭ（本形態では２ｍｇ／リットル）＋加算濃度β（本形態では２ｍｇ／リットル）に設定する。つまり、前回の浴室洗浄から３０時間を超えて５４時間に至るまでの間に浴室洗浄を実行する場合には、次亜塩素酸を４ｍｇ／リットルの濃度で含む洗浄液によって３０分間の浴室洗浄を行う。
【００４８】
経過時間ΔＴが５４時間を超え、且つ７８時間以下となる範囲内では、制御部３９は、次亜塩素酸の濃度の目標値Ｃ＝標準目標値ＭＣ（本形態では２ｍｇ／リットル）＋２×加算濃度β（本形態では２×２ｍｇ／リットル）に設定する。つまり、前回の浴室洗浄から５４時間を超えて７８時間に至るまでの間に浴室洗浄を実行する場合には、次亜塩素酸を６ｍｇ／リットルの濃度で含む洗浄液によって３０分間の浴室洗浄を行う。
【００４９】
経過時間ΔＴが７８時間を超えたときには、制御部３９は、次亜塩素酸の濃度の目標値Ｃ＝標準目標値ＭＣ（本形態では２ｍｇ／リットル）＋２×加算濃度β（本形態では２×２ｍｇ／リットル）に設定するとともに、操作入力部１５に設置した浴室洗浄ＬＥＤ（図示せず）を点滅させる。
【００５０】
つまり、前回の浴室洗浄から７８時間を経過した段階で浴室洗浄を実行する場合には、次亜塩素酸を６ｍｇ／リットルの濃度で含む洗浄液によって３０分間の浴室洗浄を行うとともに、ＬＥＤを点滅させて速やかな浴室洗浄の実行を使用者に催促する。換言すれば、次亜塩素酸の濃度の上限を６ｍｇ／リットルとし、その代わりに７８時間を越えたときには洗浄の催促を行うように設定している。なお、次亜塩素酸の濃度に上限を設けたうえで、前記の洗浄催促は行わない設定であってもよい。
（実施形態３）
次に、本発明の実施形態３の浴室洗浄装置について述べる。なお、本形態の構成のうち上述した実施形態１や実施形態２と同様の構成については詳しい説明を省略し、本形態の特徴的な構成についてのみ以下に詳述する。
【００５１】
本形態の浴室洗浄装置による浴室洗浄は、実施形態１と実施形態２の浴室洗浄の特徴部分を組み合わせたものであり、本形態の操作入力部１５には、浴室洗浄用のスイッチ類（図示せず）として、「浴室洗浄スイッチ」に加えて、「おまかせ洗浄ＯＮ／ＯＦＦスイッチ」、「洗浄時間選択スイッチ」及び「洗浄濃度選択スイッチ」が配置されている。
【００５２】
図７のフローチャートに示すように、「おまかせ洗浄ＯＮ／ＯＦＦスイッチ」を操作しておまかせ洗浄モードをオフにした場合には、使用者が「洗浄時間選択スイッチ」を選択して洗浄時間の目標値Ｔを選択することや、「洗浄濃度選択スイッチ」を操作して次亜塩素酸の濃度の目標値Ｃを選択することが可能な洗浄選択モードとなる。本形態では、「洗浄時間選択スイッチ」と「洗浄濃度選択スイッチ」が、使用者が洗浄強度を選択するための選択入力部となっており、「洗浄時間選択スイッチ」や「洗浄濃度選択スイッチ」を特に操作しないときには、洗浄時間の目標値Ｔ＝標準目標値ＭＴ（本形態では３０分）、次亜塩素酸の濃度の目標値Ｃ＝標準目標値ＭＣ（本形態では２ｍｇ／リットル）に設定する。そして、「洗浄時間選択スイッチ」や「洗浄濃度選択スイッチ」を押すたびに目標値Ｔ，Ｃを順次切り替え、洗浄強度を選択する。
【００５３】
一方、おまかせ洗浄モードをオンにした場合には、使用者のスイッチ操作によらず、洗浄時間の目標値Ｔや次亜塩素酸の濃度の目標値Ｃが自動的に設定される。具体的には、図７に示すように、前回の浴室洗浄を実行してからの経過時間ΔＴが長くなるほど、洗浄時間の目標値Ｔと、次亜塩素酸の濃度の目標値Ｃとを、段階的に高く設定していく。なお、本形態での追加時間αや加算濃度β（図７参照）は、実施形態１や実施形態２と同様の値でなくてもよく、適宜のものが設定可能である。
（実施形態４）
次に、本発明の実施形態４の浴室洗浄装置について述べる。なお、本形態の構成のうち上述した実施形態１や実施形態２と同様の構成については詳しい説明を省略し、本形態の特徴的な構成についてのみ以下に詳述する。
【００５４】
本形態の操作入力部１５には、浴室洗浄用のスイッチ類（図示せず）として、「浴室洗浄スイッチ」に加えて、「おまかせ洗浄ＯＮ／ＯＦＦスイッチ」、「洗浄時間選択スイッチ」が配置されている。この「洗浄時間選択スイッチ」が、洗浄強度を使用者が選択することのできる本形態の操作入力部である。
【００５５】
図８のフローチャートに示すように、「おまかせ洗浄ＯＮ／ＯＦＦスイッチ」を操作しておまかせ洗浄モードをオフにした場合には、「洗浄時間選択スイッチ」により実施形態１の場合と同様に洗浄時間の目標値Ｔを切り替えることのできる洗浄選択モードとなる。
【００５６】
一方、おまかせ洗浄モードをオンにした場合には、使用者のスイッチ操作によらず、実施形態２の場合と同様のフローにより、洗浄液に含まれる次亜塩素酸の濃度の目標値Ｃが自動設定される。
【００５７】
つまり、使用者が自身で洗浄強度を選択する洗浄選択モードでは、強度選択用の制御変数として洗浄時間の目標値Ｔを用い、おまかせ洗浄モードで洗浄強度が自動設定される場合には、強度選択用の制御変数として洗浄濃度の目標値Ｃを用いるように設けている。このような制御変数の使い分けにより、使用者は、洗浄選択モードとしたときに自身の選択が実際の浴室洗浄運転に反映されていることを実感しやすくなっている。
【００５８】
以上述べたように、実施形態１、実施形態３の浴室洗浄装置は、洗浄液を噴霧することで浴室洗浄を実行する浴室洗浄装置本体１と、浴室洗浄装置本体１の運転を制御する制御部３９と、浴室洗浄の実行を指示する洗浄指示部（「浴室洗浄スイッチ」）とを備えており、この制御部３９は、前回の浴室洗浄を実行してからの経過時間ΔＴが長くなるほどに、浴室洗浄を実行するときの洗浄時間の目標値Ｔを高く設定するように設けている。
【００５９】
したがって、使用者は、洗浄指示部を操作することにより自らの意図するタイミングで浴室洗浄を実行することができる。そして、その際の浴室洗浄は、前回の浴室洗浄からの経過時間ΔＴが長くて汚れの程度が大きいと推定されるときには比較的長い洗浄時間で実行することができ、逆に、前回の浴室洗浄からの経過時間ΔＴが短くて汚れの程度が小さいと推定されるときには比較的短い洗浄時間で実行することができ、必要十分な程度での浴室洗浄が可能となる。
【００６０】
また、実施形態２〜実施形態４の浴室洗浄装置は、次亜塩素酸を含む洗浄液を噴霧することで浴室洗浄を実行する浴室洗浄装置本体１と、浴室洗浄装置本体１の運転を制御する制御部３９と、浴室洗浄の実行を指示する洗浄指示部（「浴室洗浄スイッチ」）とを備えており、この制御部３９は、前回の浴室洗浄を実行してからの経過時間ΔＴが長くなるほどに、洗浄液が含む次亜塩素酸の濃度の目標値Ｃを高く設定するように設けている。
【００６１】
したがって、使用者は、洗浄指示部を操作することにより自らの意図するタイミングで浴室洗浄を実行することができる。そして、その際の浴室洗浄は、前回の浴室洗浄からの経過時間ΔＴが長くて汚れの程度が大きいと推定されるときには比較的高濃度の次亜塩素酸を用いて実行することができ、逆に、前回の浴室洗浄からの経過時間ΔＴが短くて汚れの程度が小さいと推定されるときには比較的低濃度の次亜塩素酸を用いて実行することができ、必要十分な程度での浴室洗浄が可能となる。
【００６２】
また、実施形態１〜実施形態４の浴室洗浄装置では、洗浄強度を使用者が選択することのできる洗浄選択モードを備えており、制御部３９は、この洗浄選択モードにおいては、前回の浴室洗浄を実行してからの経過時間ΔＴに関わらず使用者の選択結果に基づいて目標値Ｔ，Ｃを設定するように設けている。
【００６３】
したがって、前記のように経過時間ΔＴに応じた適当な洗浄強度が自動的に選択されることに加えて、使用者が自身の判断や好みに基づいて洗浄強度を選択することも可能となる。
【００６４】
特に、実施形態４の浴室洗浄装置では、洗浄強度を使用者が選択することのできる洗浄選択モードを備え、制御部３９は、洗浄選択モード以外の場合（つまり、おかませ洗浄モードの場合）においては、前回の浴室洗浄を実行してからの経過時間ΔＴが長くなるほどに、洗浄液が含む次亜塩素酸の濃度の目標値Ｃを高く設定し、洗浄選択モードにおいては、経過時間ΔＴに関わらず使用者の選択結果に基づいて洗浄時間の目標値Ｔを設定するように設けている。
【００６５】
次亜塩素酸の濃度の変更は、使用者としては実感しにくいものであるが、このように、使用者が自らの判断で洗浄強度を選択するときには制御変数として洗浄時間の目標値Ｔを利用するように設定すれば、使用者は自身の選択が実際の浴室洗浄運転に反映されていることを実感しやすくなる。そのため、マンマシンインターフェイスの観点からも優れたものとなる。
【００６６】
以上、本発明を添付図面に示す実施形態に基づいて説明したが、本発明は前記各例の実施形態に限定されるものではなく、本発明の意図する範囲内であれば、各例において適宜の設計変更を行うことや、各例の構成を適宜組み合わせて適用することが可能である。
【符号の説明】
【００６７】
１  浴室洗浄装置本体
１５  操作入力部
３９  制御部
ΔＴ  経過時間
Ｔ  目標値
Ｃ  目標値
【図１】
0005469534.tif 000002
【図２】
0005469534.tif 000003
【図３】
0005469534.tif 000004
【図４】
0005469534.tif 000005
【図５】
0005469534.tif 000006
【図６】
0005469534.tif 000007
【図７】
0005469534.tif 000008
【図８】
0005469534.tif 000009